(57)【要約】【課題】被切断媒体駆動型カッティングプロッタにより紙シート材を切断して紙製品を作成する場合であって、紙シート材を切断して作成した成果物の取出しが容易で、尚且つその切断品質が低下することがない被切断媒体を提供する。【解決手段】被切断媒体を、シート状部材と、このシート状部材の表面に形成される粘着層およびこの粘着層に剥離可能に支持されるシート状の用紙とにより構成し、被切断媒体駆動型カッティングプロッタにより被切断媒体のシート状用紙のみを切断するよう構成した。【選択図】        図２
2005205541.tif 000002
【特許請求の範囲】
【請求項１】
切断すべき被切断媒体を第１の方向に駆動するとともに、切断手段を上記第１の方向と直交する第２の方向に駆動することにより、切断手段を被切断媒体に対して相対的に２次元方向に移動させ、切断手段を選択的に被切断媒体に圧接，離反させてこれを所望の形状に切断する被切断媒体駆動型カッティングプロッタの被切断媒体であって、
この被切断媒体は、シート状部材と、このシート状部材の表面に形成される粘着層と、当該粘着層に剥離可能に支持されるシート状の用紙とからなり、
被切断媒体を上記第１の方向に移動して、上記切断手段により上記粘着層に剥離可能に支持されたシート状の用紙が所望の形状で切断されるよう構成されることを特徴とする被切断媒体駆動型カッティングプロッタの被切断媒体。
【発明の詳細な説明】
【技術分野】
【０００１】
本発明はカッティングプロッタに関するものであり、さらに詳しくはシート状の被切断媒体を第１の方向に移動させるとともに、これと直交する第２の方向に切断手段を移動させてシート状媒体を所望の形状に切断する被切断媒体駆動型カッティングプロッタに用いる被切断媒体に関するものである。
【背景技術】
【０００２】
シート状媒体を所定の形状で切断する従来のこの種のカッティングプロッタとしては、シート状媒体の両端部分を駆動ローラと従動ローラ（ピンチローラ）とで挟持して、駆動ローラを正逆回転させることによりシート状媒体を第１の方向（Ｘ軸方向）に移動させるとともに、この第１の方向と直交する第２の方向（Ｙ軸方向）に移動可能に設けられるキャリッジと、このキャリッジに設けられたシート状媒体に対して圧接離反するカッティングペンを移動させることにより、カッティングペンをシート状媒体に対して２次元方向に移動させるとともに、選択的に圧接離反させて、所望の形状に切断する被切断媒体駆動型のカッティングプロッタが知られている。
この被切断媒体駆動型のカッティングプロッタは、平板状のテーブル上にシート状媒体を載置し、この載置テーブルに対して第１の方向に移動可能に設けられるＹバーと、このＹバーに摺動することにより第１の方向と直交する第２の方向に移動可能に設けられるキャリッジと、このキャリッジに載置テーブル上のシート状媒体に圧接離反するよう設けられたカッティングペンとを設け、Ｙバーおよびキャリッジを移動制御するとともにカッティングペンをシート状媒体に対して選択的に圧接離反させることにより、これを所望の形状に切断する所謂フラットベッド型のカッティングプロッタに比べて、装置を設置するためのスペースが少なくてよく、また切断動作時間が短いなどの利点があり、従来より広く使われている。
【０００３】
この被切断媒体駆動型のカッティングプロッタにより、紙シートを切断して例えば箱，容器等の展開図や、衣服等の型紙、装飾用のステンシル或いはマスクパターン、年賀状等のグリーティングカード、ペーパークラフトなどといった紙製品を作成する場合、以下に挙げられるような不具合を生じていた。
即ち、駆動ローラおよびピンチローラにより挟持した紙シート材から、その一部分を所望の形状で切断した（成果物という）場合、この成果物部分には駆動ローラおよびピンチローラの駆動力が伝達されなくなり、これにより切断動作中の紙シート材がジャム現象を起こしたり、或いは成果物部分が紙シート材から脱落して駆動中のシート材と切断手段とに巻き込まれて破損するなどといった不具合が生じていた。
これを防止するために、従来のカッティングプロッタにおいては、カットデータの一部に切り残し部分を設けるか、或いは切断動作中においてカッティングペンの圧接力を制御して完全に切断しない部分を設ける（所謂ハーフカット）など行って、成果物を紙シートから完全に切り離さないよう構成し、切断動作完了後に操作者の手によりこの成果物部分を紙シート材の不要部分から切り離して取り出すよう行っていた。
【特許文献１】特開昭６３−１７５１６８号公報
【特許文献２】特開平０２−１６５９９９号公報
【発明の開示】
【発明が解決しようとする課題】
【０００４】
しかしながら、操作者の手により紙シート材から成果物を切り離して取り出す場合、特に細かい形状で切断したような成果物においては、切り残し部分の取り外しを慎重に行う必要があり、その作業が煩雑であるとともに、これが上手くいかない場合には成果物の品質が著しく低下するといった不具合を生じていた。
また、紙媒体を切断する場合には、切断手段であるカッティングペンの刃先を貫通させなければならないので高い圧接力（筆圧）が必要となるが、駆動ローラおよびピンチローラにて挟持した両端部分に挟まれた中央の部分において切断を行うような場合には、シート材が破損して切断できないといった不具合も生じていた。更に、紙媒体の切断を行う場合、その切断部分から紙粉が発生することとなり、この紙粉がカッティングペンの刃先部分に堆積することによりその切断力が低下し、切断品質の低下またはカッティング刃の寿命が短くなるなどといった不具合を生じることとなっていた。
本願発明は、これらの不具合を解消するためになされたものである。
【課題を解決するための手段】
【０００５】
本発明の被切断媒体駆動型カッティングプロッタの被切断媒体においては、シート状部材と、このシート状部材の表面に形成される粘着層と、この粘着層に剥離可能に支持されるシート状の用紙とからなり、被切断媒体の両端部分を駆動ローラおよび従動ローラにより挟持してこれを第１の方向に移動させ、切断手段を第２の方向に移動させて粘着層に剥離可能に支持されたシート状の用紙が所望の形状で切断されるよう構成したことを特徴とする。
【発明の効果】
【０００６】
本発明の被切断媒体駆動型カッティングプロッタの被切断媒体においては、支持シートに剥離可能に粘着支持されたシート状用紙を切断するので、紙シート材を切り残し部を設けることなく完全に切断しても、成果物部分がその他のシート材部分から脱落することがないとともに、その取り出しも容易に行うことが可能となる。
【発明を実施するための最良の形態】
【０００７】
切断すべき紙シート材をシート状部材に予め粘着層により粘着支持して被切断媒体を構成し、この被切断媒体支持シートを駆動ローラと従動ローラとにより挟持し、被切断媒体支持シートを第１の方向に駆動するとともに、これと直交する第２の方向にカッティングペンを移動させて紙シート材を切断するよう構成した。
【実施例１】
【０００８】
以下図面に基づいて、本発明の被切断媒体駆動型カッティングプロッタの被切断媒体を説明する。
先ず、図１は本発明の被切断媒体を切断するカッティングプロッタの構成を示す図であり、図において１はカッティングプロッタ本体、２は駆動ローラ、３はピンチローラ、４はペンブロック、５はカッティングペン、６は被切断媒体である。
この被切断媒体駆動型カッティングプロッタにおいて、駆動ローラ２は、図示しない駆動モータの正逆方向の回転駆動力が伝達されて回転駆動するように本体１に支持されており、ピンチローラ３は、被切断媒体６を介してこの駆動ローラ２に押圧され、駆動ローラ２の正逆回転に従動して回転駆動する。上記被切断媒体６は、その両端部分がこの駆動ローラ２およびピンチローラ３に挟持され、駆動ローラ２の回転駆動により図のＸ軸方向に駆動するよう設けられている。ペンブロック４は、図示しない移動機構によりプロッタ本体１上を図のＹ軸方向に移動可能に設けられ、また、切断手段であるカッティングペン５を保持し、この保持したカッティングペン５をアクチュエータ（図示せず）により降下，上昇させることにより、被切断媒体７に圧接，離反するよう設けられる。
制御手段は、切断すべき形状のカットデータに基づいて、駆動ローラ２を駆動制御して被切断媒体６を図のＸ軸方向（第１の方向)に移動させるとともに、ペンブロック４をＹ軸方向（第２の方向）に移動させて、カッティングペン５を被切断媒体６に対して相対的に２次元方向に移動させ、更にカッティングペン５を選択的に被切断媒体６に圧接，離反させることにより、これを所望の形状で切断するよう構成されている。
【０００９】
図２は、本発明の被切断媒体６を示す図であり、この被切断媒体６はシート状の基材６０と、この基材６０がカッティングペン５に対向する面に設けられた粘着層６１、この粘着層６１に剥離可能に粘着支持されるシート状用紙６２とにより構成される。
基材６０としては、例えば薄いプラスチックシートなどが用いられ、この基材６０上に形成される粘着層６１は、粘着力の弱い接着剤が塗布されることにより構成されている。この粘着層６１は、粘着力の弱い接着剤が用いられており、これによりシート状用紙６２を剥離可能に支持することができるよう構成されている。具体的には、基材６０として紙器用板紙，白板紙，特殊板紙，白ボール紙（例えば北越製紙社製「ＮＥＷ−ＤＶ」，三菱製紙社製「ハイパール」等）、或いは厚さ0.1〜0.3mm程度のポリエチレンテレフタレートフィルム（例えばデュポン社製「マイラー」）、ポリカーボネートフィルム等を採用することができ、また、粘着層６１としては、両面粘着テープ，ファスナー（例えばリンテック社製「リピール」，３Ｍ社製「４５９１ＨＬ」，大日本インキ工業社製「ダイタック」等）、或いはエアゾール接着剤（例えば３Ｍ社製「スプレーのり５５カラー」等）を採用することができる。
【００１０】
この媒体駆動型カッティングプロッタにより、本発明の被切断媒体を所望の形状で切断して紙製品を作成する場合、操作者は先ず被切断媒体６の両端部を、カッティングプロッタの駆動ローラ２とピンチローラ３により挟持させる。この状態で、カッティングプロッタは切断動作待機状態となる。
被切断媒体６をカッティングプロッタ１にセットすると、続いてコンピュータ等の上位装置より切断すべきカットデータを送信し、図示しないカッティングプロッタの制御部は、このカットデータに基づいて被切断媒体６の切断動作を行う。
この被切断媒体６の切断動作において、制御部は図示しないペンブロック４のアクチュエータにより、カッティングペン５を被切断媒体６に圧接または離反させながら、このカッティングペン５を保持したペンブロック４をＹ軸方向に移動させ、これと同時に駆動ローラ２を回転駆動することにより被切断媒体６をＸ軸方向に移動させる。これによりカッティングペン５がカットデータに基づいて、被切断媒体６に対して相対的に２次元方向に移動され、これにより被切断媒体６が切断される。
この切断動作においては、図２に示されるとおりカッティングペン５の刃先がシート状用紙６２を切断（貫通)して粘着層６１（または基材６０）に達し、且つ基材６０を完全に突き抜けることがないように、カッティングペン５の刃先の突出量が設定されており、この状態でペンブロック４および駆動ローラ２を駆動して、シート状用紙６２の切断を行うよう構成されている。
従って、切断動作により作成される成果物は、シート状用紙６２からは完全に切り離されることとなるが、切り離されても尚粘着層６１に粘着保持されているので、基材６０からは脱落することがない。
切断動作が完了すると、操作者はこの被切断媒体６をピンチローラ３および駆動ローラ２の挟持を解除して取り外し、成果物部分を被切断媒体６から取り外す。このとき、成果物部分はシート状用紙６２から完全に切り離されており、尚且つ粘着層６１の粘着力が弱いため、簡単且つ容易に取り外すことが可能となる。
更に、シート状用紙６２を切断することにより発生する紙粉は、粘着層６１に吸着されることとなり、従ってカッティングペン５の刃先に堆積することがない。
また、被切断媒体支持シートは、薄いプラスチックシート等より構成されているので、切断するシート状用紙６２が例えばトレーシングペーパー等の薄くコシのない材質のものであっても、良好に切断することが可能となる。
【図面の簡単な説明】
【００１１】
【図１】本発明の被切断媒体を切断する被切断媒体駆動型カッティングプロッタの構成を示す図である。
【図２】本発明の被切断媒体を示す図である。
【符号の説明】
【００１２】
１      カッティングプロッタ本体
２      駆動ローラ
３      ピンチローラ
４      ペンブロック
５      カッティングペン
６      被切断媒体
【図１】
2005205541.tif 000003
【図２】
2005205541.tif 000004